(57)【要約】【課題】使用後の回収を促し、低コストのデジタルカメラ、およびその製造方法、リサイクル方法、プリント方法を提供すること。【解決手段】本デジタルカメラ１００は、撮像光学系１０、ファインダー１１０、撮像部２０、不揮発性記憶部３０、表示部５０、撮影入力部８２、消去入力部８６、制御部４０を含む。制御部４０は、撮影入力がなされる前は撮像部が現在とらえている画像の前記表示部への表示を行わず、撮影入力後に撮影確認期間を設定し、撮影確認期間の間、撮影された画像を表示部へ表示する表示制御を行い、撮影入力後に消去可能期間を設定し、消去可能期間の間に、前記消去入力を受け付けたか否か判断し、前記消去入力を受け付ていないと判断した場合には、撮影入力に対応して撮影された画像の画像データを前記不揮発性記憶部に保存する制御を行う。【選択図】図２
2009302927.tif 000002
【特許請求の範囲】
【請求項１】
被写体の画像を取得し、画像データとして保存するデジタルカメラにおいて、
レンズを含む撮像光学系と、
被写体をのぞくファインダーと、
前記撮像光学系を介して被写体の画像を撮影する撮像部と、
不揮発性記憶部と、
表示部と、
操作入力を受け付ける操作入力部と、
撮影された画像に対応した画像データを前記不揮発性記憶部へ保存する制御を行う保存制御部と、
撮影された画像を前記表示部へ表示する制御を行う表示制御部とを含み、
前記操作入力部は、
撮影入力を受け付ける撮影入力部と、
撮影した画像の消去入力を受け付ける消去入力部とを含み、
前記表示制御部は、
撮影入力がなされる前は撮像部が現在とらえている画像の前記表示部への表示を行わず、撮影入力後に撮影確認期間を設定し、撮影確認期間の間、撮影された画像を表示部へ表示する表示制御を行い、
前記保存制御部は、
撮影入力後に消去可能期間を設定し、消去可能期間の間に、前記消去入力を受け付けたか否か判断し、前記消去入力を受け付ていないと判断した場合には、撮影入力に対応して撮影された画像の画像データを前記不揮発性記憶部に保存する制御を行うことを特徴とするデジタルカメラ。
【請求項２】
請求項１において、
前記表示制御部は、
前記撮影確認期間の間、撮影した画像とともに消去可能期間の残り時間のカウント表示を前記表示部に表示する制御を行うことを特徴とするデジタルカメラ。
【請求項３】
請求項１乃至２のいずれかにおいて、
前記撮影入力及び前記消去入力の少なくとも一方に基づき、残り撮影可能枚数又は撮影枚数のいずれかの枚数をカウントする枚数カウント部と、
カウントされた前記枚数に基づき撮影可能枚数又は撮影枚数を表示する第２の表示部と、を含むことを特徴とするデジタルカメラ。
【請求項４】
請求項１乃至３のいずれかにおいて、
前記保存制御部は、
画像データを暗号化して前記不揮発性記憶部への保存する制御を行うことを特徴とするデジタルカメラ。
【請求項５】
請求項１乃至４のいずれかにおいて、
前記不揮発性記憶部に記憶されている画像データを外部に出力する画像データ出力インターフェース部と、
前記画像データ出力インターフェース部の外部接続部分がシールで封印された筐体部と、を含むことを特徴とするデジタルカメラ。
【請求項６】
請求項１乃至４のいずれかにおいて、
前記不揮発性記憶部に記憶されている画像データを外部に出力する画像データ出力インターフェース部を含み、
前記画像データ出力インターフェース部の外部接続部分がＵＳＢ規格外の形状であることを特徴とするデジタルカメラ。
【請求項７】
請求項１乃至５のいずれかにおいて、
少なくとも前記表示部を含む各部に電力を供給する電源部を含み、
前記電源部は、
エンドユーザーによる充電及び電池交換が出来ないように構成されていることを特徴とするデジタルカメラ。
【請求項８】
請求項１乃至７のいずれかにおいて、
ＧＰＳ衛星から電波を受信してするＧＰＳ受信部と、
前記ＧＰＳ受信部からの受信データに基づき撮影位置を解析し、撮影位置データを生成する撮影位置データ生成部をさらに含み、
前記保存制御部は、
前記画像データに、前記撮影位置データを付加して前記不揮発性記憶部に保存する制御を行うことを特徴とするデジタルカメラ。
【請求項９】
被写体の画像を取得し、画像データとして保存するデジタルカメラにおいて、
レンズを含む撮像光学系と、
前記撮像光学系を介して被写体の画像を撮影する撮像部と、
不揮発性記憶部と、
表示部と、
操作入力を受け付ける操作入力部と、
撮影された画像に対応した画像データを前記不揮発性記憶部へ保存する制御を行う保存制御部と、
撮影された画像を前記表示部へ表示する制御を行う表示制御部と、
ＧＰＳ衛星から電波を受信してするＧＰＳ受信部と、
前記ＧＰＳ受信部からの受信データに基づき撮影位置を解析し、撮影位置データを生成する撮影位置データ生成部を含み、
前記保存制御部は、
前記画像データに、前記撮影位置データを付加して前記不揮発性記憶部に保存する制御を行うことを特徴とするデジタルカメラ。
【請求項１０】
請求項１乃至８のいずれか記載のデジタルカメラを製造するデジタルカメラの製造方法であって、
前記撮像部を構成する撮像素子及び前記表示部を構成する液晶モジュールの少なくとも１つを再利用して前記デジタルカメラを製造することを特徴とするデジタルカメラの製造方法。
【請求項１１】
請求項１乃至８のいずれか記載のデジタルカメラを回収して再利用するデジタルカメラのリサイクル方法であって、
各デジタルカメラ毎に再利用回数に関する記録を取得し、取得した再利用回数に関する記録に基づき、各デジタルカメラ単位で再利用の可否を判断し、再利用可能と判断したデジタルカメラについては、当該デジタルカメラの再利用回数に関する記録を更新することを特徴とするデジタルカメラのリサイクル方法。
【請求項１２】
請求項１１において、
各デジタルカメラの再利用回数に関する記録は、各デジタルカメラの筐体の一部に記録されていることを特徴とするデジタルカメラのリサイクル方法。
【請求項１３】
請求項１１乃至１２のいずれかおいて、
各デジタルカメラの回収時に、各デジタルカメラの不揮発性記憶部に記憶されている画像データを読み出して復号化し、復号化された画像データを記憶媒体に記憶させる処理及び画像データに対応した画像をプリントする処理の少なくとも一方を行うことを特徴とするデジタルカメラのリサイクル方法。
【請求項１４】
請求項１３において、
各デジタルカメラに付随させてプリント時の色彩の種類及びフレームの少なくとも一方に関するモード表示を行い、画像データに対応した撮影画像のプリント際には、当該デジタルカメラに付随しているモード表示に基づき、プリントする画像の色彩の種類又はフレームの有無やフレームの種類を決定して、決定された色彩の種類又はフレームの有無やフレームの種類の撮影画像をプリントする処理を行うことを特徴とするデジタルカメラのリサイクル方法。
【請求項１５】
請求項７に従属する請求項１２において、
前記画像データに付加された前記撮影位置データに基づき、前記撮影位置データに対応した地図画像または航空写真画像が付加してされた前記プリント画像を提供することを特徴とするデジタルカメラのリサイクル方法。
【請求項１６】
請求項９に記載のデジタルカメラの画像プリント方法であって、
前記画像データに付加された前記撮影位置データに基づき、前記撮影位置データに対応した地図画像または航空写真画像が付加してされたプリント画像を提供することを特徴とするデジタルカメラのプリント方法。
【発明の詳細な説明】
【技術分野】
【０００１】
本発明はデジタルカメラ、デジタルカメラの製造方法、デジタルカメラのリサイクル方法及びデジタルカメラのプリント方法に関する。
【背景技術】
【０００２】
従来カメラの分野では、従来よりリサイクル使用されるカメラとしてレンズ付きフィルムが普及している。このようなレンズ付きフィルムは、行楽地などでカメラを携帯し忘れたときでも、その場で手軽に入手できるという利点がある。
【０００３】
一方、デジタルカメラも近年急速に高画素化が進んでおり、販売当初と比べれば安価になってはいるが、消費者にとってはまだ高価な商品であり、デジタルカメラの分野では手軽に利用できるリサイクル可能なカメラは実用化されていない。
【０００４】
このようにリサイクル使用されるカメラは、ユーザーに安価に提供できることが前提となり、このためには、リサイクルをシステム化し、不正な再利用を防止する必要がある。
【０００５】
そこで、上述したような、一時使用を目的としたデジタルカメラにおいてもレンズ付きフィルムユニットと同様な再利用を行うことによって、安価にデジタルカメラを提供するシステムが提案されている（例えば特許文献１、特許文献２）。
【特許文献１】特開２０００−１９６９３１号公報
【特許文献２】特開２００２−１７６５７４号公報
【発明の開示】
【発明が解決しようとする課題】
【０００６】
デジタルカメラが支持される大きな理由として、表示部で撮影した画像を確認でき、かつ何度でも取り直し可能であるという特徴がある。
【０００７】
ここで表示部への表示時間が長くなると電池の消耗が大きくなり電池交換や充電が必要となる。しかしデジタルカメラの早期回収をうながすという観点からは、エンドユーザーが充電池の交換を行えない構成が好ましい。
【０００８】
また何度でも取り直し可能であると使用済みデジタルカメラの回収率の低下や回収までの期間の長期化につながる。
【０００９】
本発明は、上記課題に鑑みなされたものであり、使用後の回収を促し、低コストのデジタルカメラ、およびそのようなデジタルカメラの製造方法、デジタルカメラのリサイクル方法、デジタルカメラのプリント方法を提供することを目的とする。
【課題を解決するための手段】
【００１０】
（１）本発明は、
被写体の画像を取得し、画像データとして保存するデジタルカメラにおいて、
レンズを含む撮像光学系と、
被写体をのぞくファインダーと、
前記撮像光学系を介して被写体の画像を撮影する撮像部と、
不揮発性記憶部と、
表示部と、
操作入力を受け付ける操作入力部と、
撮影された画像に対応した画像データを前記不揮発性記憶部へ保存する制御を行う保存制御部と、
撮影された画像を前記表示部へ表示する制御を行う表示制御部とを含み、
前記操作入力部は、
撮影入力を受け付ける撮影入力部と、
撮影した画像の消去入力を受け付ける消去入力部とを含み、
前記表示制御部は、
撮影入力がなされる前は撮像部が現在とらえている画像の前記表示部への表示を行わず、撮影入力後に撮影確認期間を設定し、撮影確認期間の間、撮影された画像を表示部へ表示する表示制御を行い、
前記保存制御部は、
撮影入力後に消去可能期間を設定し、消去可能期間の間に、前記消去入力を受け付けたか否か判断し、前記消去入力を受け付ていないと判断した場合には、撮影入力に対応して撮影された画像の画像データを前記不揮発性記憶部に保存する制御を行うことを特徴とする。
【００１１】
撮影入力がなされる前は撮像部がとらえている画像を前記表示部へ表示しない。
【００１２】
撮影確認期間を消去入力が可能な消去可能期間としてもよい。また撮影確認期間と消去可能期間の開始タイミングと長さを異なる設定することも出来るし、各期間の一部が重複するように設定することも出来る。
【００１３】
ファインダー(Finder)とは、カメラにおいて目で覗いて構図を決めたりピントを合わせたりするのに使用する覗き窓のことである。通常のデジタルカメラは表示部に撮像部が現在とらえている画像を表示するためファインダーは設けられていない。しかし本発明のデジタルカメラは、撮影入力がなされる前は撮像部が現在とらえている画像の前記表示部への表示を行わないため、ユーザーはファインダーで被写体の確認を行う。このような構成とすることで、表示部（例えば液晶パネル）への表示に使用される電力を大幅に削減することができる。従って電池の交換や充電が出来ない構成のデジタルカメラ（リサイクル使用に適している）を提供することが可能となる。
（２）本発明のデジタルカメラは、
前記表示制御部は、
前記撮影確認期間の間、撮影した画像とともに消去可能期間の残り時間のカウント表示を前記表示部に表示する制御を行うことが出来る。
【００１４】
本発明のデジタルカメラは、撮影した画像を消去する機会が消去可能期間に限られている。従ってカウント表示を行うことでユーザーの注意を促し、ユーザーが消去の機会を最大限に活用することができるデジタルカメラを提供することが出来る。
（３）本発明のデジタルカメラは、
前記撮影入力及び前記消去入力の少なくとも一方に基づき、残り撮影可能枚数又は撮影枚数のいずれかの枚数をカウントする枚数カウント部と、
カウントされた前記枚数に基づき撮影可能枚数又は撮影枚数を表示する第２の表示部と、を含んでもよい。
（４）本発明のデジタルカメラは、
前記保存制御部は、
画像データを暗号化して前記不揮発性記憶部への保存する制御を行うことが出来る。
【００１５】
本発明のデジタルカメラ事態は暗号化された画像データの復号化の手段をもたないように構成する。
【００１６】
このようにすることで、エンドユーザーは内部の不揮発性記憶部に記憶されている画像データを読み出しことはできないため、デジタルカメラの回収を促し、リサイクルに適したデジタルカメラを提供することが出来る。
（５）本発明のデジタルカメラは、
前記不揮発性記憶部に記憶されている画像データを外部に出力する画像データ出力インターフェース部と、
前記画像データ出力インターフェース部の外部接続部分がシールで封印された筐体部と、を含んでもよい。
【００１７】
このようにすることで、エンドユーザーは内部の不揮発性記憶部に記憶されている画像データを読み出しことはできないため、デジタルカメラの回収を促し、リサイクルに適したデジタルカメラを提供することが出来る。
（６）本発明のデジタルカメラは、
前記不揮発性記憶部に記憶されている画像データを外部に出力する画像データ出力インターフェース部を含み、
前記画像データ出力インターフェース部の外部接続部分がＵＳＢ規格外の形状でもよい。
【００１８】
このようにすることで、エンドユーザーは内部の不揮発性記憶部に記憶されている画像データを読み出しことはできないため、デジタルカメラの回収を促し、リサイクルに適したデジタルカメラを提供することが出来る。
（７）本発明のデジタルカメラは、
少なくとも前記表示部を含む各部に電力を供給する電源部を含み、
前記電源部は、
エンドユーザーによる充電及び電池交換が出来ないように構成することができる。
【００１９】
このようにすることで、エンドユーザーは電力の再供給ができないため、デジタルカメラの回収を促し、リサイクルに適したデジタルカメラを提供することが出来る。
（８）本発明のデジタルカメラは、
ＧＰＳ衛星から電波を受信してするＧＰＳ受信部と、
前記ＧＰＳ受信部からの受信データに基づき撮影位置を解析し、撮影位置データを生成する撮影位置データ生成部をさらに含み、
前記保存制御部は、
前記画像データに、前記撮影位置データを付加して前記不揮発性記憶部に保存する制御を行うことが出来る。
【００２０】
前記保存制御部は、
前記画像データに対応する画像を撮影する前の直近に取得した撮影位置データを、前記画像データに付加して前記不揮発性記憶部に保存する制御を行うようにしてもよい。
（９）本発明は、
被写体の画像を取得し、画像データとして保存するデジタルカメラにおいて、
レンズを含む撮像光学系と、
前記撮像光学系を介して被写体の画像を撮影する撮像部と、
不揮発性記憶部と、
表示部と、
操作入力を受け付ける操作入力部と、
撮影された画像に対応した画像データを前記不揮発性記憶部へ保存する制御を行う保存制御部と、
撮影された画像を前記表示部へ表示する制御を行う表示制御部と、
ＧＰＳ衛星から電波を受信してするＧＰＳ受信部と、
前記ＧＰＳ受信部からの受信データに基づき撮影位置を解析し、撮影位置データを生成する撮影位置データ生成部を含み、
前記保存制御部は、
前記画像データに、前記撮影位置データを付加して前記不揮発性記憶部に保存する制御を行うことを特徴とする。
（１０）本発明は、
上記のいずれか記載のデジタルカメラを製造するデジタルカメラの製造方法であって、
前記撮像部を構成する撮像素子及び前記表示部を構成する液晶モジュールの少なくとも１つを再利用して前記デジタルカメラを製造することを特徴とする。
【００２１】
撮像素子（イメージセンサ）は、ＣＭＯＳイメージセンサやＣＣＤカメラ等である。液晶モジュールとは、液晶表示部等である。なおデジタルカメラがフラッシュモジュールを含む場合には、フラッシュモジュールも再利用するようにしても良い。
（１１）本発明は、
上記のいずれか記載のデジタルカメラを回収して再利用するデジタルカメラのリサイクル方法であって、
各デジタルカメラ毎に再利用回数に関する記録を取得し、取得した再利用回数に関する記録に基づき、各デジタルカメラ単位で再利用の可否を判断し、再利用可能と判断したデジタルカメラについては、当該デジタルカメラの再利用回数に関する記録を更新することを特徴とする。
（１２）本発明のデジタルカメラのリサイクル方法は、
各デジタルカメラの再利用回数に関する記録は、各デジタルカメラの筐体の一部に記録されていてもよい。
（１３）本発明のデジタルカメラのリサイクル方法は、
各デジタルカメラの回収時に、各デジタルカメラの不揮発性記憶部に記憶されている画像データを読み出して復号化し、復号化された画像データを記憶媒体に記憶させる処理及び画像データに対応した画像をプリントする処理の少なくとも一方を行ってもよい。
（１４）本発明のデジタルカメラのリサイクル方法は、
各デジタルカメラに付随させてプリント時の色彩の種類及びフレームの少なくとも一方に関するモード表示を行い、画像データに対応した撮影画像のプリント際には、当該デジタルカメラに付随しているモード表示に基づき、プリントする画像の色彩の種類又はフレームの有無やフレームの種類を決定して、決定された色彩の種類又はフレームの有無やフレームの種類の撮影画像をプリントする処理を行ってもよい。
（１５）本発明のデジタルカメラのリサイクル方法は、
前記画像データに付加された前記撮影位置データに基づき、前記撮影位置データに対応した地図画像または航空写真画像が付加してされた前記プリント画像を提供してもよい。
（１６）本発明のデジタルカメラのリサイクル方法は、
前記画像データに付加された前記撮影位置データに基づき、前記撮影位置データに対応した地図画像または航空写真画像が付加してされたプリント画像を提供してもよい。
【発明を実施するための最良の形態】
【００２２】
１．デジタルカメラの構成
図１〜図４は、本実施の形態のデジタルカメラを、それぞれ正面（被写体にむく側）、背面（撮影者にむく側）、上面（通常の使用状態で配置した場合に上方に向く側の面）、底面（通常の使用状態で配置した場合に下方に向く側の面）の外観図である。
【００２３】
図１に示すように、デジタルカメラ１００は、そのカメラ本体（筐体）１０２の正面に、撮影レンズ１２（撮像光学系１０の一部）、ストロボ発光部９６（フラッシュモジュール９０の一部）、ファインダ１００の対物窓１１２、フラッシュスイッチ９２が設けられている。
【００２４】
また図２に示すように、カメラ本体（筐体）１０２の背面には、ファインダ１１０の接眼窓１１４、撮影画像を表示する液晶表示画面５２（撮影画像表示部５０の表示面）、取り直しボタン８６（操作入力部８０の消去入力部）、残り撮影可能枚数又は撮影枚数を表示する枚数表示パネル７２（枚数表示部７０の表示面）が設けられている。
【００２５】
そして図３に示すように、カメラ本体（筐体）１０２の上面にはシャッターボタン８２（操作入力部８０の撮影入力部）、電源ボタン８４（操作入力部８０の一つ）が設けられている。
【００２６】
また図４に示すように、カメラ本体（筐体）１０２の底面には図示しない通信用コネクタ（ＵＳＢ端子等の画像データ出力インターフェース部の外部接続部分）がシール１２０で封印されており、ユーザーが通信用コネクタを使用出来ないようになっている。
【００２７】
シャッターボタン８２により撮影するタイミングを入力することが出来る。撮り直しボタン８６を撮影後所定時間内（消去可能期間、例えば１０秒）以内に押すと、直近に撮影した画像（撮影確認期間に表示部に表示されている撮影画像）を消去することができる。フラッシュスイッチ９２によりフラッシュの使用／非使用を入力することが出来る。電源ボタン８４より電源のオン／オフを入力することが出来る。
【００２８】
枚数表示パネル７２は、最大撮影可能枚数に対し、残りの撮影可能枚数を表示するようにしてもい。
【００２９】
なお電源ボタンは内部に電源ＬＥＤ(Power LED indicator)を備え、半透明な素材で押下部を構成し、電源オン時、緑色ＬＥＤが点灯するようにしてもよい。
【００３０】
本実施の形態のデジタルカメラは撮影ボタンが押されるまで（撮影時）は、液晶表示パネル５２には被写体対象物が表示されないので、ユーザーはファインダーをのぞいて撮影する。
【００３１】
また本実施の形態のデジタルカメラは、撮影直後に撮影画像が液晶表示画面５２に表示される所定の期間（撮影確認期間）を消去可能期間（例えば１０秒間）として、直近に撮影した画像を削除することができる。消去可能期間には、現在液晶表示画面５２に表示されている画像（直近に撮影した１枚の画像）のみ削除可能に構成することが出来る。消去可能期間に消去入力がなされない場合には、撮影した画像の保存が確定し、既に保存が確定している画像を削除することは出来ないように構成してもよい。このようにすることで、過度の取り直しを防止し、デジタルカメラの早期回収を図ることが出来る。
【００３２】
また本実施の形態のデジタルカメラは、予め最大撮影枚数に制限を設け、最大撮影枚数を超えて撮影することは出来ないように構成してもよい。なお最大撮影枚数は、コンフィギュレーションにより変更可能な設定にしてもよい。このようにすることで、過度の取り直しを防止し、デジタルカメラの早期回収を図ることが出来る
フラッシュの使用は、フラッシュスイッチ９２にて手動で切り替えることができるようにしてもよい。
【００３３】
メンテナンスおよび、プリント時に使用する画像データ出力インターフェースは例えばＵＳＢインタフェースを用いても良いが、エンドユーザーが図示しない内蔵フラッシュメモリ（不揮発性記憶部）の内容を読み取れないように、物理的又は電気的に制限を設けるようにしてもよい。
【００３４】
電気的対策としては、例えば汎用ＰＣの汎用ＯＳ対応の専用ドライバソフトウェアによりアクセス制限して、このドライバをインストールしたＰＣのみ、アクセスコマンドを入力することでフォルダとして認識することができるようにしてもよい。
【００３５】
物理的対策としては、前記画像データ出力インターフェース部の外部接続部分に特殊形状のＵＳＢコネクタを用いる構成としてもよい。このようにすることで、過度の取り直しを防止し、デジタルカメラの早期回収を図ることが出来る
図５は本実施の形態のデジタルカメラの電気的な構成を示す機能ブロック図である。
【００３６】
本実施の形態のデジタルカメラ１００は、制御部４０、レンズ１２を含む撮像光学系１０、撮像光学系１０を介して映像を撮影する撮像部２０、不揮発性記憶部３０と、ＲＡＭ、ＳＲＡＭ等の記憶部３２、画像データ出力インターフェース部６０、フラッシュモジュール９０、フラッシュスイッチ９２，第１の電源部４２、第２の電源部９４、撮影した画像を表示する撮影画像表示部５０、ユーザーの操作入力を受け付ける操作入力部８０、枚数表示部７０、通信用コネクタ６２を含む。
【００３７】
制御部４０は、例えばＣＰＵ等のプロセッサからなり、ＲＯＭ（記憶部）に格納された制御プログラム等の各種プログラムを実行して、デジタルカメラの各部を制御する。
【００３８】
記憶部３２は、制御部が４０が各種プログラムを実行する際に使用される作業用のメモリであるＲＡＭや、各種プログラムが記憶されたＲＯＭや残り撮影可能枚数等の各種データやパラメータが記憶されたＳＲＡＭ等で構成してもよい。
【００３９】
撮像部２０は、ＣＭＯＳイメージセンサやＣＣＤ（Ｃｈａｒｇｅ  Ｃｏｕｐｌｅｄ  Ｄｅｖｉｃｅ）等の固体撮像素子や、Ａ／Ｄコンバータ等で構成される。固体撮像素子で撮影光を電気信号に変換し、Ａ／Ｄコンバータで、この電気信号をデジタル信号に変換してもよい。
【００４０】
不揮発性記憶部３０は、内蔵フラッシュメモリ等で構成され、５０枚程度の写真の画像データを保存できる容量（約６４メガバイト程度）であればよい。保存が確定した撮影画像の画像データが記憶される。
【００４１】
第１の電源部は充電池を用いても良いがエンドユーザーが充電池の交換をすることはできないように構成することが好ましい。
【００４２】
制御部４０は、撮像部からのデジタル信号（撮影された画像データ）に各種の画像処理を施して記憶部３２または不揮発性記憶部３０に記憶させる。撮影画像の画像データを不揮発性記憶部３０に記憶させる際には、例えば、ＪＰＥＧ形式などの所定のファイル形式に変換して記憶させてもよい。
【００４３】
操作入力部８０は、撮影の入力を受け付ける撮影入力部（シャッターボタン）８２、撮影した画像の消去入力を受け付ける消去入力部（取り直しボタン）８４を含む。
【００４４】
通信用コネクタ６２は、不揮発性記憶部３０から読み出された画像データを画像データ出力インターフェース部６０を介してデジタルカメラ本体１０２の外部に取り出す際に使用されるのもで、ＵＳＢコネクタを用いる構成としてもよいが、ユーザーが容易に使用できないように、その形状を特殊な形状にしたり、外部接続部分をシールして塞ぐことが好ましい。
【００４５】
フラッシュモジュール９０は、図示しないストロボ発光部とストロボ回路等で構成することができ、フラッシュスイッチ９２がオンになっているときに、シャッターボタン（操作入力８０）に連動して作動する。
【００４６】
撮影画像表示部５０はＬＣＤ表示パネルやLＳＤコントローラ等で構成され、撮影画像を再生表示したり、各種の情報を表示する。しかし本実施の形態のデジタルカメラでは、撮影前（シャッターボタンが押される前）に撮像部がとらえている被写体の画像は表示されないので、ユーザーはファインダーからのぞいて被写体をとらえる事になる。（ユーザーはＬＣＤ表示パネルを電子ビューファインダとして使用することはできない。）このようにすることで、撮影画像表示部の消費電力を大幅に押さえることができ、電池交換や再充電することなしに、ユーザーが規定枚数を撮影することが出来る。従って電池交換や再充電が出来ない構成とすることができ、回収、リサイクルに適したデジタルカメラを提供することが出来る。
【００４７】
制御部４０は、撮影された画像に対応した画像データを前記不揮発性記憶部へ保存する制御を行う保存制御部と、撮影された画像を前記表示部へ表示する制御を行う表示制御部として機能する。表示制御部は、撮影入力がなされる前は撮像部が現在とらえている画像の前記表示部への表示を行わず、撮影入力後に撮影確認期間を設定し、撮影確認期間の間、撮影された画像を表示部へ表示する表示制御を行い、保存制御部は、撮影入力後に消去可能期間を設定し、消去可能期間の間に、前記消去入力を受け付けたか否か判断し、前記消去入力を受け付ていないと判断した場合には、撮影入力に対応して撮影された画像の画像データを前記不揮発性記憶部に保存する制御を行う。
【００４８】
また表示制御部は、前記撮影確認期間の間、撮影した画像とともに前記撮影確認時間又は消去可能期間の残り時間又は経過時間のカウント表示を前記撮影画像表示部に表示する制御を行うようにしてもよい。
【００４９】
また制御部４０は、撮影入力及び消去入力に基づき、残り撮影可能枚数又は撮影枚数のいずれかの枚数をカウントする枚数カウント部として機能し、枚数表示部（第２の表示部）はカウントされた前記枚数に基づき撮影可能枚数又は撮影枚数を表示する。
【００５０】
また保存制御部は、画像データを暗号化して前記不揮発性記憶部への保存する制御を行うようにしてもよい。
２．デジタルカメラの処理
本実施の形態のデジタルカメラは、操作部からの入力信号や時間の経過や撮影枚数に応じて下記に示すＳＴ０、ＳＴ１、ＳＴ２、ＳＴ２１、ＳＴ２２、ＳＴ３、ＳＴ４、ＳＴ５、ＳＴ６の９つの状態を遷移する。
ＳＴ０：電源オフ状態
電源ボタンが押されるまでの待機状態であり、電源ボタンが押されると、起動状態（ＳＴ１）に移行する。この間撮影画像表示部への撮影画像の表示や枚数表示部の残り枚数表示は行わない。またこの状態では電源ボタンからの操作入力以外の操作入力は受け付けない。
ＳＴ１：起動処理態
電源ボタンが押されてからのスタートアップ処理を行う状態である。起動処理が完了し、残り撮影可能枚数が０でなければ撮影待機状態（ＳＴ２）に移行する。残り撮影可能枚数が０の場合はメモリオーバー状態（ＳＴ５）に移行する。この間撮影画像表示部への撮影画像の表示や枚数表示部の残り枚数表示は行わない。またこの状態はいかなる操作入力も受け付けない。
ＳＴ２：撮影待機状態
この間に、ユーザーはファインダーを使いながら被写体を決める。この間撮影画像表示部への撮影画像の表示は行わず、枚数表示部には、現在の残り撮影可能枚数を表示する。
この間に、シャッターボタンが押されると撮影状態（ＳＴ２１）へ移行し、電源ボタンが長押し（約2 秒）されると終了状態（ＳＴ６）へ移行する。また所定期間（約６０秒）操作入力が何もなされないと終了状態（ＳＴ６）へ移行する。
ＳＴ２１：撮影処理状態
シャッターボタンが押された後、撮影した画像に対応する画像データを生成する画像データ生成処理が行われる。画像データ生成処理が完了すると保存状態（ＳＴ２２）へ移行する。この間撮影画像表示部への撮影画像の表示は行わず、枚数表示部には、現在の残り撮影可能枚数を表示する。また間はいかなる操作入力も受け付けない。
ＳＴ２２：保存処理状態
撮影した画像に対応して生成した画像データ画像をメモリへ保存する。処理が完了すると撮影確認状態（ＳＴ３）へ移行する。この間撮影画像表示部への撮影画像の表示は行わず、枚数表示部には、現在の残り撮影可能枚数を表示する。また間はいかなる操作入力も受け付けない。
ＳＴ３：撮影確認状態
撮影した画像を所定の時間（撮影確認期間であり消去可能期間である、例えば１０秒間）、撮影画像表示部に表示するので、この間にユーザーは撮影した画像を確認することが出来る。この消去可能期間の間、撮影画像表示部には、撮影した画像を表示すると共に、図６に示すようなカウントダウン表示が行われる。この消去可能期間（撮影確認期間でもある）の間に取消ボタンが押されると撮影した画像は消去され、画像データは不揮発性記憶部へは保存されない。なお撮影画像表示部に電池残量の表示を行うようにしてもよい。
【００５１】
枚数表示部には、現在の残り撮影可能枚数を表示する。撮影確認期間の間に取消ボタンが押されないと、撮影した画像の保存が確定し、残り撮影可能枚数が１枚デクリメントされ、枚数表示の値もデクリメント後の値に切り替わる。
【００５２】
この間に撮り直しボタンが押されると消去処理状態（ＳＴ４）へ移行する。またシャッターボタンが押されると撮影処理状態（ＳＴ２）へ移行する。また何も操作入力が内情対が所定期間（約10 秒）続くと、撮影待機状態（ＳＴ２）へ移行する。
ＳＴ４：消去処理状態
撮影した画像を保存せず、消去する処理を行う。消去処理が行われると消去された画像の画像データは不揮発性記憶部には保存されない。処理後は撮影待機状態（ＳＴ２）へ移行する。この間撮影画像表示部への撮影画像の表示は行わず、枚数表示部には、現在の残り撮影可能枚数を表示する。また間はいかなる操作入力も受け付けない。
ＳＴ５：メモリオーバー状態
服発性記憶部に保存された画像の枚数が最大撮影可能枚数（デフォルトは５０枚）を超えた場合、もしくは、電池残量が規定値（仮に10%）を割った場合にこの処理へ移行する。そして撮影画像表示部には、図１３に示すような撮影終了画面を表示し、プリントサービスへのアクセスを促し、枚数表示部には、現在の残り撮影可能枚数０を表示する。
この間、いかなる操入力作も受け付けず、所定期間（例えば約60 秒）の後、終了処理状態（ＳＴ６）へ移行する。
ＳＴ６：終了処理状態
シャットダウン処理をおこない、シャットダウン処理完了後、電源オフ状態（ＳＴ０）に移行する。この間撮影画像表示部への撮影画像は行わず、枚数表示部には、現在の残り撮影可能枚数を表示する。また間はいかなる操作入力も受け付けない。
【００５３】
図７〜図９は本実施の形態のデジタルカメラの状態遷移の制御の流れを示すフローチャートである。
【００５４】
電源ＯＦ状態（ＳＴ０）において（ステップＳ１０）、電源ボタンオンが押されると（ステップＳ２０）、起動処理状態（ＳＴ０）（ステップＳ３０）に移行する。起動処理態では、スタートアップ処理が行われる。この間撮影画像表示部への撮影画像の表示や枚数表示部の残り枚数表示は行わない。またこの状態はいかなる操作入力も受け付けない。
【００５５】
起動処理が終了し、残り撮影可能枚数（変数ｎ）が０の場合は（ステップＳ４０）、メモリオーバー状態から終了処理状態（ＳＴ６）に移行するための所定期間をカウントするためのタイマ変数ｔの初期設定（ｔ＝０）を行い（ステップＳ５０）、メモリオーバー状態（ＳＴ５）に移行する（ステップＳ６０）。なお残り撮影可能枚数（変数ｎ）は、デジタルカメラ作成時に、最大撮影枚数Ｎ（例えば５０枚）を設定しておき、撮影する毎にカウント値をデクリメントする処理を行いＳＲＡＭ等の不揮発性の記憶部に保持するようにしてもよい。
【００５６】
ｔ≧６０になるまでタイマ変数のインクリメント処理を行い（ステップＳ７０）、ｔ≧６０になると終了処理状態（ＳＴ６）に移行する（ステップＳ８０、Ｓ９０）。終了処理状態においてシャットダウン処理をおこない、シャットダウン処理完了後、電源オフ状態（ＳＴ０）に移行する。
【００５７】
起動処理が完了し、残り撮影可能枚数が０でなければ撮影待機状態（ＳＴ２）に移行する（ステップＳ４０）。撮影待機状態（ＳＴ２）では、撮影待機状態（ＳＴ２）から終了処理状態（ＳＴ６）に移行するための所定期間をカウントするためのカウント用のタイマ変数ｔの初期設定（ｔ＝０）を行う（ステップＳ１００）。
【００５８】
撮影待機状態（ＳＴ２）において、フラッシュスイッチが押されるとフラッシュのストロボを発光させる処理が行われる（ステップＳ１１０、Ｓ１２０）。
【００５９】
シャッターボタンが押されるまでは、ｔ≧６０になるまでタイマ変数のカウントアップ処理を行い（ステップＳ１４０）、ｔ≧６０になると終了処理状態（ＳＴ６）に移行する（ステップＳ１５０、Ｓ９０）。
【００６０】
撮影待機状態（ＳＴ２）においては、ユーザーはファインダーを使いながら被写体を決める。この間撮影画像表示部への撮影画像の表示は行わず、枚数表示部には、現在の残り撮影可能枚数を表示する。
【００６１】
シャッターボタンが押されると撮影処理状態（ＳＴ２１）に移行する（ステップＳ１３０、Ｓ１６０）。撮影処理状態（ＳＴ２１）では、撮影した画像に対応する画像データを生成する画像データ生成処理が行われる。この間撮影画像表示部への撮影画像は行わず、枚数表示部には、現在の残り撮影可能枚数を表示する。また間はいかなる操作入力も受け付けない。
【００６２】
撮影処理状態（ＳＴ２１）が終了すると保存処理状態（ＳＴ２２）に移行する（ステップＳ１７０）。保存処理状態では、撮影した画像に対応して生成した画像データ画像をメモリへ保存する。この間撮影画像表示部への撮影画像の表示は行わず、枚数表示部には、現在の残り撮影可能枚数を表示する。また間はいかなる操作入力も受け付けない。
【００６３】
保存処理状態（ＳＴ２２）が終了すると、撮影確認期間をカウントするためのカウント用のタイマ変数ｔの初期設定（ｔ＝１０）を行い（ステップＳ１８０）、撮影確認状態（ＳＴ３）に移行する（ステップＳ１９０）。撮影確認状態では、撮影した画像を所定の時間（撮影確認期間、例えば１０秒間）、撮影画像表示部に表示するので、この間にユーザーは撮影した画像を確認することが出来る。この撮影確認期間の間、撮影画像表示部には、撮影した画像を表示すると共に、図６に示すようなカウントダウン表示が行われる。このカウントダウン表示期間（撮影確認期間、例えば１０秒間）の間に取消ボタンをおすと撮影した画像を消去することが出来る。なお撮影画像表示部に電池残量の表示を行うようにしてもよい。枚数表示部には、現在の残り撮影可能枚数を表示する。
【００６４】
撮影確認期間において、フラッシュスイッチが押されるとフラッシュのストロボを発光させる処理が行われる（ステップＳ２００、Ｓ２１０）。
【００６５】
シャッターボタンが押されると撮影処理状態（ＳＴ２１）に移行する（ステップＳ２２０）。
【００６６】
撮影確認期間において消去ボタンが押されると、消去処理状態に移行する（ステップ２３０、Ｓ２４０）。消去処理状態では、撮影した画像を保存せず、消去する処理を行う。消去処理が行われると消去された画像に対応した画像データは不揮発性記憶部には保存されない。この間撮影画像表示部への撮影画像の表示は行わず、枚数表示部には、現在の残り撮影可能枚数を表示する。また間はいかなる操作入力も受け付けない。
【００６７】
消去処理状態が終了すると撮影待機状態（ＳＴ２）に移行する（図８のＡ）。
【００６８】
撮影確認期間においてシャッターボタンが押されない場合、消去ボタンが押されるまでは、ｔ＞０の間は、タイマ変数のカウントダウン処理を行い（ステップＳ２５０）、ｔ＝０になると残り撮影可能枚数（変数ｎ）をカウントアップする処理を行い（ステップＳ２６０、Ｓ２７０）、撮影待機状態（ＳＴ２）に移行する（図８のＡ）。
２．ＧＰＳ機能を有するデジタルカメラの構成
図１２は第２の実施の形態のデジタルカメラの電気的な構成を示す機能ブロック図である。
【００６９】
図５と同じ構成の部分については同じ符号を付しており、説明を省略する。第２の実施の形態のデジタルカメラは図５の構成に加え、ＧＰＳ衛星から電波を受信してするＧＰＳ受信部１１０をさらに含む。
【００７０】
また制御部は、ＧＰＳ受信部１１０からの受信データに基づき撮影位置を解析し、撮影位置データを生成する撮影位置データ生成部として機能する。そして制御部４０（保存制御部として機能する場合）は、前記画像データに、前記撮影位置データを付加して前記不揮発性記憶部に保存する制御を行う。
３．プリント処理
３．１    プリントモード
ユーザーは本実施の形態のデジタルカメラで規定枚数を撮影すると、プリントサービスを行う店舗において、デジタルカメラの内蔵フラッシュメモリ（不揮発性記憶部）に保存されている撮影画像のプリントサービス（有料でも無料でもよい）を受ける。
【００７１】
プリントサービスを行う店舗には、ＰＣとプリンター等で構成され図５，図１２のプリンと部として機能するプリント装置が備えられている。プリント装置は、デジタルカメラの通信用コネクタを介して内蔵フラッシュメモリ（不揮発性記憶部）に保存されている撮影画像の画像データを読み出し、読み出した撮影画像をプリンターで写真プリントする。
【００７２】
本実施の形態のデジタルカメラには、プリント用の各種プリントモードが対応付けられている。例えば通常のカラー写真としてプリントするカラーモード、モノクロやセピアなどの特殊な色調で表示するモノクロモードやセピアモード等のプリントモードを設けてもよい。そして各種プリントモードに応じた色調（フルカラーモードの場合にはフルカラー、モノクロモードの場合モノクロ、セピアモードの場合セピア）で撮影画像をプリントする。
【００７３】
またプリントモードとして、フレームの種類を選択出来るようにしてもよい。例えばハート型のフレームプリントモードを用意してもよい。そしてハート型のフレームプリントモードに対応したデジタルカメラのプリント依頼がなされた場合にハート型のフレームのついた撮影画像を写真プリントする処理をおこなってもよい。
【００７４】
いずれもプリンとモードに対応したデジタルカメラでも、デジタルカメラの不揮発性記憶部に記憶される際には同じ規格（いずれも撮影画像に対応した画像データは通常のカラー状態、フレーム無し）で保存するが、プリント時に各種プリントモードに応じた色調（モノクロモードの場合モノクロ、セピアモードの場合セピア）やフレームが付加されたで撮影画像を写真プリントする。
【００７５】
本実施の形態のデジタルカメラが、どのプリントモードに対応しているかは、例えば筐体の付加されたパッケージカバー等に記載するようにしてもよい。
【００７６】
なおパッケージカバー等に付加されたユーザーに告知するためのプリントモードを、プリントサービスを行う店舗の店員が目視で読み取り、プリント部のプリントモードを設定してもよい。またプリントモードに対応したバーコードや２次元コードをデジタルカメラのパッケージに付加してバーコードリーダや２次元コードリーダに読み取らせて、プリント部にプリントモードを自動的に設定するようにしてもよい。
３．２    ＧＰＳ対応のプリントモード
画像データをプリントする際に、画像データに付加された撮影位置データに基づき、撮影位置データに対応した地図画像または航空写真画像が付加された写真プリントを提供してもよい。
【００７７】
図１０は、撮影位置データに対応した地図画像とが付加されたプリント画像の一例である。同図に示すように、プリント画像３００には、撮影した画像３１０と撮影した画像データに付加された撮影位置データに対応した地図画像３２０が含まれている。
【００７８】
図１１は、撮影位置データに対応した地図画像が航空写真画像が付加されたプリント画像の一例である。同図に示すように、プリント画像３５０には、撮影した画像３６０と撮影した画像データに付加された撮影位置データに対応した地図画像３８０と航空写真画像３７０が含まれている。
【００７９】
図１２に示すプリント部において、位置データに対応させて世界各地の地図画像データと世界各地の航空写真画像データが記憶されたデータベースにアクセスし、データベースから撮影位置データに対応した、または撮影位置データに最も近い、または撮影位置データを含むエリアの、地図画像データや航空写真画像データを取得してもよい。そして取得した画像と撮影画像を１枚のプリント画像に収めてプリントしてもよい。撮影画像と地図画像や航空写真画像のレイアウトを複数用意しておき、選択できるようにしてもよい。
４．デジタルカメラの製造方法
本実施の形態のデジタルカメラの新規製造時においては、可能な限り再利用部品を採用し、店舗においてデジタルカメラが回収されたら、それを再利用してデジタルカメラを製造する。
【００８０】
例えばフラッシュモジュール９０は、レンズ付きフィルムより回収された部品を再利用することが出来るが、例えばキセノンランプおよびコンデンサのみ再利用するようにしてもよい。また撮影画像表示部５０の液晶画面は携帯電話より再生された液晶モジュールを再利用することができる。また撮像部２０のＣＭＯＳモジュールは、例えば携帯電話のＣＭＯＳモジュールを再利用することができる。
【００８１】
また第１の電源部として、バッテリ式の充電池を用い回収した充電池を充電して再利用してもよい。
５．デジタルカメラのリサイクル方法
本実施の形態のデジタルカメラ１００は、リサイクル対応デジタルカメラである。レンズ付きフィルムと同様に、シンプルな操作性、環境に配慮したリサイクル製品であり、フラッシュモジュールや液晶画面に再利用部品を活用する。そして、撮影枚数や閲覧機能を制限し、ユーザーが撮影した画像は専用のプリント機にて印刷することができるように構成する。
【００８２】
図１４は本実施の形態のデジタルカメラのリサイクル方法の手順を示すフローチャートである。
【００８３】
本実施の形態のデジタルカメラの新規製造時においては、フラッシュモジュール、液晶表示部、ＣＭＯＳイメージセンサの少なくとも１つは再利用品を用いてデジタルカメラを製造する。製造時に再利用回数の初期値（例えば０）をデジタルカメラの筐体の一部に記録する（ステップＳ３１０）。例えば筐体の内部壁に再利用回数を記録したシール（例えば再利用回数に対応したバーコードや２次元コードが印刷されたシールでもよい）等を貼り付けてもよいし、筐体の内部壁に再利用回数を直接記録してもよい（内部壁に再利用回数を直接書き込んでもよい）。
【００８４】
製造されたデジタルカメラは販売される。販売されたデジタルカメラは規定撮影枚数に達するまでは撮影かのうであるが、規定撮影枚数に達したら撮影出来なくなり、例えば液晶表示部に図１３に示すようなメッセージ画像が表示されるので、ユーザーは適当なタイミングで本実施のデジタルカメラのプリントサービスを行う店舗にデジタルカメラを持ち込んで、撮影した画像のプリント依頼等を行う。
【００８５】
店舗にてデジタルカメラのプリント依頼を受けると同時に使用済みのデジタルカメラを回収する（ステップＳ３２０）。
【００８６】
店舗では、持ち込まれたデジタルカメラの底面のシールを剥がし、シールで封印されていた画像データ出力インターフェース部の外部接続部分（コネクタ）を、プリント部（プリンターとＰＣ等で構成される）のコネクタに接続し、各デジタルカメラの不揮発性記憶部に記憶されている画像データを読み出して復号化し、復号化された画像データを記憶媒体に記憶させる処理又は画像データに対応した画像をプリントする処理を行う（ステップＳ３３０）。
【００８７】
なおプリントする際には、プリントモードに対応したプリントやＧＰＳ対応のプリントを行うようにしてもよい。
【００８８】
店舗にて回収されたデジタルカメラは、デジタルカメラのリサイクル製造工場に持ち込まれる。デジタルカメラのリサイクル製造工場では、各デジタルカメラの筐体に記録された再利用回数に関する記録を取得して、再利用可能か否か判断する（ステップＳ３４０）。
例えば再利用回数が規定の回数（例えば５回）に達していない場合には再利用するようにしてもよい。
【００８９】
再利用可能と判断した場合には（ステップＳ３５０）、フラッシュモジュール、液晶表示部、ＣＭＯＳイメージセンサの少なくとも一つを再利用してデジタルカメラを製造する。
そしてデジタルカメラの再利用回数に関する記録を更新して、更新後の再利用回数をデジタルカメラの筐体の一部に記録する。（ステップＳ３６０）。
【００９０】
本発明は、上述の実施の形態に限定されるものではなく、種々の変形が可能である。本発明は、実施の形態で説明した構成と実質的に同一の構成（例えば、機能、方法及び結果が同一の構成、あるいは目的及び効果が同一の構成）を含む。また、本発明は、実施の形態で説明した構成の本質的でない部分を置き換えた構成を含む。また、本発明は、実施の形態で説明した構成と同一の作用効果を奏する構成又は同一の目的を達成することができる構成を含む。また、本発明は、実施の形態で説明した構成に公知技術を付加した構成を含む。
【００９１】
また、上記実施形態では、デジタルカメラの再利用回数はデジタルカメラ単位で管理、記録する場合を例にとり説明したがこれに限られない。たとえば、フラッシュモジュール、液晶表示部、ＣＭＯＳイメージセンサ、充電池等のリサイクルされる各部品単位で再利用回数を管理、記録するようにしてもよい。このようにすると、各部品の耐用年数に応じてリサイクル回数等も変えることが出来る。
【００９２】
また上記実施形態では、デジタルカメラの再利用回数をデジタルカメラの筐体に物理的に記録させる場合を例にとり説明したがこれに限られない。例えばデジタルカメラ又は部品単位で識別番号を付加して、デジタルカメラ又は部品に識別番号のみ記録させ、各識別番号に対する再利用回数はコンピュータのデータベースで管理するようにしてもよい。デジタルカメラ又は部品にバーコードや２次元コードで表示された識別番号を付加しておき、デジタルカメラ又は各部品の再利用の有無を判断する際に、この付加されたバーコードや２次元コードをバーコードリーダや２次元コードリーダで読み取り。そしてコンピュータが読み取られた各識別番号に対応してデータベースに格納されている再利用回数を読み出して、データベースから読み出した再利用回数に基づき再利用の有無を判断するようにしてもよい。
【００９３】
また上記実施形態では、フラッシュモジュール、液晶表示部、ＣＭＯＳイメージセンサ、充電池等が再利用されるデジタルカメラを例にとり説明したがこれに限られない。
【図面の簡単な説明】
【００９４】
【図１】本実施の形態のデジタルカメラの正面の外観図。
【図２】本実施の形態のデジタルカメラの背面の外観図
【図３】本実施の形態のデジタルカメラの上面の外観図
【図４】本実施の形態のデジタルカメラの底面の外観図
【図５】本実施の形態のデジタルカメラの電気的な構成を示す機能ブロック図。
【図６】消去可能期間に行われるカウントダウン表示の一例。
【図７】本実施の形態のデジタルカメラの状態遷移の制御の流れを示すフローチャート。
【図８】本実施の形態のデジタルカメラの状態遷移の制御の流れを示すフローチャート。
【図９】本実施の形態のデジタルカメラの状態遷移の制御の流れを示すフローチャート。
【図１０】本実施の形態のプリント画像の一例。
【図１１】本実施の形態のプリント画像の一例。
【図１２】第２の実施の形態のデジタルカメラの電気的な構成を示す機能ブロック図。
【図１３】メモリオーバー状態に表示される画像の一例。
【図１４】本実施の形態のデジタルカメラのリサイクル方法の手順を示すフローチャート。
【符号の説明】
【００９５】
１０  撮像光学系、１２  レンズ、２０  撮像部、３０  不揮発性記憶部、３２  記憶部、４０  制御部、４２  第１の電源部、５０  撮影画像表示部、５２  液晶表示画面、６０  画像データ出力インターフェース、６２  通信用コネクタ、７０  枚数表示部、７２  枚数表示パネル、８０  操作入力部、８２  シャッターボタン（撮影ボタン）、８４  電源ボタン、８６  取り直しボタン（消去ボタン）９０  ラッシュモジュール、９４  第２の電源部、９６  ストロボ発光部、１００  デジタルカメラ、１０２  筐体、１２０  シール、２００  プリント部
【図１】
2009302927.tif 000003
【図２】
2009302927.tif 000004
【図３】
2009302927.tif 000005
【図４】
2009302927.tif 000006
【図５】
2009302927.tif 000007
【図６】
2009302927.tif 000008
【図７】
2009302927.tif 000009
【図８】
2009302927.tif 000010
【図９】
2009302927.tif 000011
【図１２】
2009302927.tif 000012
【図１３】
2009302927.tif 000013
【図１４】
2009302927.tif 000014
【図１０】
2009302927.tif 000015
【図１１】
2009302927.tif 000016